(57)【要約】【課題】来訪者がドアホンの照明部からの光を眩しく感じることを抑制可能なインターホンシステムを提供する。【解決手段】集合住宅のロビーに設置され所望の住戸の居住者を呼び出し可能なロビーインターホン４と、住戸外に設置され居住者を呼び出し可能なドアホン１と、住戸内に設置されロビーインターホン４およびドアホン１からの呼び出しに応答可能でロビーインターホン４およびドアホン１の各々との間で各別に通話可能とするインターホン親機２とを備える。ドアホン１は、所定エリアを撮像して映像を得る撮像部１４と、所定エリアを照明可能な照明部１５とを有する。インターホン親機２は、ロビーの自動ドア５に設置された電気錠を解錠させるための操作部２２を有する。インターホン親機２は、操作部２２が操作された後に、ドアホン１の照明部１５を点灯させる。【選択図】図１
2013026850.tif 000002
【特許請求の範囲】
【請求項１】
集合住宅のロビーに設置され所望の住戸の居住者を呼び出し可能なロビーインターホンと、前記住戸外に設置され前記居住者を呼び出し可能なドアホンと、前記住戸内に設置され前記ロビーインターホンおよび前記ドアホンからの呼び出しに応答可能で前記ロビーインターホンおよび前記ドアホンの各々との間で各別に通話可能とするインターホン親機とを備え、前記ドアホンは、所定エリアを撮像して映像を得る撮像部と、前記所定エリアを照明可能な照明部とを有し、前記インターホン親機は、前記ロビーの自動ドアに設置された電気錠を解錠させるための操作部を有してなり、前記インターホン親機は、前記操作部が操作された後に、前記ドアホンの前記照明部を点灯させることを特徴とするインターホンシステム。
【発明の詳細な説明】
【技術分野】
【０００１】
本発明は、インターホンシステムに関するものである。
【背景技術】
【０００２】
従来から、集合住宅の共同玄関などに設置されるカラーカメラ付ロビーインターホンが提案されている（例えば、特許文献１）。
【０００３】
特許文献１に開示されたカラーカメラ付ロビーインターホンは、住戸側に設置されたモニタテレビ付インターホンを接続するとともに、被撮像体（被写体）に対して上方または下方の斜め方向から光を照射する照明装置を接続している。
【０００４】
上述のカラーカメラ付ロビーインターホンは、このカラーカメラ付ロビーインターホンによる所定の操作または住戸側のモニタテレビ付インターホンによる所定の操作によって、照明装置を点灯制御してカラーカメラで撮像を開始する。
【０００５】
また、従来から、屋外の門扉付近に主として設置される子機と、屋内に主として設置される親機とが通信可能に接続された通話システムが提案されている（例えば、特許文献２）。
【０００６】
特許文献２に開示された通話システムは、子機と親機との間で通話可能となっており、子機にて撮影された撮影画像を親機にて見ることができる。なお、子機には、呼出ボタン、スピーカ、マイク、カメラ、ライト（照明手段）などが設けられている。また、親機には、訪問者と通話を行うハンドセット（通話器）、モニタなどが設けられている。また、親機には、ハンドセットの着脱を検出するハンドセット用フックが設けられている。
【０００７】
上述の通話システムの子機は、親機のハンドセット用フックに連動して、ライトの点灯・消灯を行っている。
【０００８】
また、近年、インターホンシステムに関して、ドアホンのカメラで来訪者などを撮像してカラー映像をインターホン親機の表示部に表示するものが提供されるようになってきた。これに伴い、夜間でもカラー映像にて来訪者の顔を確認したいという要望が高まってきており、カメラ付きのドアホンの照明部として、白色ＬＥＤが用いられるようになってきている。
【先行技術文献】
【特許文献】
【０００９】
【特許文献１】特開２００１−３０９３６２号公報
【特許文献２】特開２００６−２０３２６９号公報
【発明の概要】
【発明が解決しようとする課題】
【００１０】
ところで、特許文献２に開示された通話システムでは、親機のハンドセット用フックに連動して子機のライトが点灯するので、来訪者が子機のライトからの光を眩しく感じることがあった。
【００１１】
本発明は上記事由に鑑みて為されたものであり、その目的は、来訪者がドアホンの照明部からの光を眩しく感じることを抑制可能なインターホンシステムを提供することにある。
【課題を解決するための手段】
【００１２】
本発明のインターホンシステムは、集合住宅のロビーに設置され所望の住戸の居住者を呼び出し可能なロビーインターホンと、前記住戸外に設置され前記居住者を呼び出し可能なドアホンと、前記住戸内に設置され前記ロビーインターホンおよび前記ドアホンからの呼び出しに応答可能で前記ロビーインターホンおよび前記ドアホンの各々との間で各別に通話可能とするインターホン親機とを備え、前記ドアホンは、所定エリアを撮像して映像を得る撮像部と、前記所定エリアを照明可能な照明部とを有し、前記インターホン親機は、前記ロビーの自動ドアに設置された電気錠を解錠させるための操作部を有してなり、前記インターホン親機は、前記操作部が操作された後に、前記ドアホンの前記照明部を点灯させることを特徴とする。
【発明の効果】
【００１３】
本発明のインターホンシステムにおいては、来訪者がドアホンの照明部からの光を眩しく感じることを抑制可能となる。
【図面の簡単な説明】
【００１４】
【図１】実施形態のインターホンシステムのブロック図である。
【図２】同上のインターホンシステムの概略構成図である。
【図３】同上のインターホンシステムの動作を説明するフローチャートである。
【発明を実施するための形態】
【００１５】
（実施形態１）
以下、本実施形態のインターホンシステムについて、図１〜図３を参照しながら説明する。
【００１６】
本実施形態のインターホンシステムは、例えば、集合住宅向けのインターホンシステムである。このインターホンシステムは、集合住宅のロビーに設置され所望の住戸の居住者を呼び出し可能なロビーインターホン４と、上述の住戸外（玄関先）に設置されこの居住者を呼び出し可能なドアホン１とを備えている。また、本実施形態のインターホンシステムは、上述の住戸内に設置されロビーインターホン４およびドアホン１からの呼び出しに応答可能でロビーインターホン４およびドアホン１の各々との間で各別に通話可能とするインターホン親機２を備えている。以下、本実施形態では、インターホン親機２を親機２と略称する。
【００１７】
ロビーインターホン４は、２線式の第１信号線３２を介して親機２に接続されており、親機２と通信可能となっている。また、ロビーインターホン４は、２線式の第２信号線３３を介してロビーの自動ドア５に設置された電気錠（図示せず）に接続されており、自動ドア５に上記電気錠を解錠させる機能を有している。
【００１８】
また、ロビーインターホン４は、住戸番号を入力するための数字キー（図示せず）および居住者を呼び出すための第１呼出釦（図示せず）を具備する第１呼出部４２と、上記数字キーにより入力された住戸番号を表示する第１表示部４４とを有している。また、ロビーインターホン４は、親機２と通信可能な第１通信部４１と、居住者と通話するための第１通話部４３と、第１表示部４４、第１通信部４１および第１通話部４３を制御する第１制御部４５とを有している。なお、第１呼出部４２、第１表示部４４、第１通信部４１、第１通話部４３および第１制御部４５の各々には、図示しない第１電源部から動作電源が供給される。また、本実施形態では、ロビーインターホン４が、所定エリアを撮像して映像を得る撮像部を有するようにしてもよい。
【００１９】
第１呼出部４２は、上記数字キーにより住戸番号が入力された後に上記第１呼出釦が押操作されると、入力された住戸番号の情報を含む信号を第１制御部４５へ出力する。以下、本実施形態では、上記数字キーにて入力された住戸番号の情報を含む信号を、情報信号と称する。
【００２０】
第１通話部４３は、第１マイクロホン（図示せず）と第１スピーカ（図示せず）とを有している。この第１通話部４３は、上記第１マイクロホンからの第１音声信号を第１通信部４１へ出力する機能を有している。
【００２１】
第１制御部４５は、例えば、第１マイクロコンピュータに適宜の第１プログラムを搭載することにより構成することができる。この第１制御部４５は、第１呼出部４２から出力された情報信号が入力されると、上記数字キーにて入力された住戸番号の居住者を呼び出すための第１呼出信号を第１通信部４１へ出力する。
【００２２】
第１通信部４１は、第１制御部４５から出力された第１呼出信号を、第１信号線３２を介して親機２へ送信する機能を有している。また、第１通信部４１は、上記第１マイクロホンからの第１音声信号を、第１信号線３２を介して親機２へ送信する機能を有している。
【００２３】
ドアホン１は、２線式の第３信号線３１を介して親機２に接続されており、親機２と通信可能となっている。また、ドアホン１は、居住者を呼び出すための第２呼出釦１２ａを具備する第２呼出部１２と、居住者と通話するための第２通話部１３と、ドアホン１前方の所定エリアを撮像してカラー映像を得る撮像部１４と、上記所定エリアを照明可能な照明部１５とを有している。さらに、ドアホン１は、親機２と通信可能な第２通信部１１と、第２通話部１３、撮像部１４および照明部１５の各々に動作電源を供給する第２電源部（図示せず）とを有している。なお、第２呼出部１２および第２通信部１１の各々は、第３信号線３１を介して親機２から給電される。
【００２４】
第２呼出部１２は、第２呼出釦１２ａが押操作されると、居住者を呼び出すための第２呼出信号を第２通信部１１へ出力する。
【００２５】
第２通話部１３は、第２マイクロホン１３ａと第２スピーカ１３ｂとを有している。この第２通話部１３は、第２マイクロホン１３ａからの第２音声信号を第２通信部１１へ出力する機能を有している。
【００２６】
撮像部１４は、例えば、ＣＣＤ（Charge Coupled Device）カメラまたはＣＭＯＳ（ComplementaryMetal Oxide Semiconductor）カメラにより構成することができる。この撮像部１４は、上記所定エリアに来訪者がいる場合、来訪者の顔を含むカラー映像を得ることが可能である。
【００２７】
照明部１５としては、例えば、白色光を照射する白色ＬＥＤなどのＬＥＤ（図示せず）と、このＬＥＤを点灯させる点灯装置（図示せず）とで構成することができる。
【００２８】
第２通信部１１は、第２呼出部１２から出力された第２呼出信号を、第３信号線３１を介して親機２へ送信する機能を有している。また、第２通信部１１は、撮像部１４で撮像して得られたカラー映像の映像信号と、第２マイクロホン１３ａからの第２音声信号とを多重化して、多重化した映像信号および第２音声信号を、第３信号線３１を介して親機２へ送信する機能を有している。以下、説明の便宜上、本実施形態では、映像信号と第２音声信号とを多重化した信号を、多重化信号と称する。
【００２９】
親機２は、ロビーインターホン４およびドアホン１と通信可能な第３通信部２１と、ドアホン１の撮像部１４で撮像して得られたカラー映像などを表示する第２表示部２４とを有している。また、親機２は、ロビーインターホン４やドアホン１からの呼び出しに応答するための応答釦２２ａを具備する操作部２２と、来訪者と通話するための第３通話部２３と、第３通信部２１、第２表示部２４および第３通話部２３を制御する第２制御部２５とを有している。さらに、親機２は、ドアホン１の上記第２電源部が第２通話部１３、撮像部１４および照明部１５の各々に動作電源を供給するために、第３信号線３１を介してドアホン１の上記第２電源部へ給電する給電部（図示せず）を有している。
【００３０】
第３通信部２１は、ロビーインターホン４の第１通信部４１から送信された第１呼出信号および第１音声信号を、第１信号線３２を介して受信する機能を有している。この第３通信部２１は、受信した第１呼出信号を第２制御部２５へ出力する機能を有している。また、第３通信部２１は、受信した第１音声信号を第３通話部２３へ出力する機能を有している。
【００３１】
また、第３通信部２１は、ドアホン１の第２通信部１１から送信された第２呼出信号および多重化信号を、第３信号線３１を介して受信する機能を有している。この第３通信部２１は、受信した第２呼出信号を第２制御部２５へ出力する機能を有している。また、第３通信部２１は、受信した多重化信号を映像信号と第２音声信号とに分離して、映像信号を第２表示部２４へ出力し、第２音声信号を第３通話部２３へ出力する機能を有している。
【００３２】
第２表示部２４は、例えば、液晶パネルからなる表示パネル２４ａと、第３通信部２１から出力された映像信号を表示パネル２４ａに表示可能な信号に変換する変換部（図示せず）とで構成することができる。なお、本実施形態では、表示パネル２４ａとして液晶パネルを採用しているが、これに限らず、例えば、有機エレクトロルミネッセンスパネルなどを採用してもよい。
【００３３】
操作部２２の応答釦２２ａは、ロビーインターホン４やドアホン１からの呼び出しに応答するための機能を有するとともに、ドアホン１の撮像部１４で撮像して得られたカラー映像（住戸外の映像）のモニタを開始するための機能を有している。要するに、応答釦２２ａは、居住者が住戸内から住戸外をモニタするためのモニタ釦でもある。
【００３４】
また、操作部２２は、複数（図示例では、４つ）の操作釦２２ｂ〜２２ｅを備えている。本実施形態では、４つの操作釦２２ｂ〜２２ｅのうちの１つの操作釦（例えば、操作釦２２ｂ）が、ロビーの自動ドア５に設置された上記電気錠を解錠させるための解錠釦としての機能を有している。ここで、本実施形態では、操作部２２が各操作釦２２ｂ〜２２ｅを備えているが、これに限らず、例えば、第２表示部２４の表示パネル２４ａを、タッチパネルを具備する表示パネルとし、上記表示パネルに各操作釦２２ｂ〜２２ｅの機能を備えるようにしてもよい。
【００３５】
第３通話部２３は、第３マイクロホン（図示せず）と第３スピーカ２３ｂとを有している。第３スピーカ２３ｂは、第３通信部２１から出力された第１音声信号を第１音声に変換して出力する機能を有している。また、第３スピーカ２３ｂは、第３通信部２１から出力された第２音声信号を第２音声に変換して出力する機能を有している。また、第３通話部２３は、上記第３マイクロホンからの第３音声信号を第３通信部２１へ出力する機能を有している。
【００３６】
第２制御部２５は、例えば、第２マイクロコンピュータに適宜の第２プログラムを搭載することにより構成することができる。この第２制御部２５は、第３通信部２１から出力された第１呼出信号や第２呼出信号が入力されると、第３通話部２３の第３スピーカ２３ｂから呼出音を鳴動させる。
【００３７】
上記給電部は、第２通話部１３、撮像部１４および照明部１５を動作可能とする動作電圧を生成する。本実施形態のインターホンシステムでは、親機２の上記給電部が第３信号線３１を介してドアホン１の上記第２電源部へ動作電圧を給電すると、第２通話部１３、撮像部１４および照明部１５が動作状態となる。ここにおいて、ドアホン１の上記第２電源部は、親機２から第３信号線３１を介して給電された動作電圧を動作電源として第２通話部１３、撮像部１４および照明部１５の各々に供給する。
【００３８】
また、上記給電部は、第２制御部２５から出力される給電信号が入力されると、ドアホン１の上記第２電源部へ動作電圧を給電する。
【００３９】
また、第３通信部２１は、第３通話部２３から出力された第３音声信号を、第１信号線３２を介してロビーインターホン４の第１通信部４１へ送信する機能を有している。ここにおいて、ロビーインターホン４の第１通信部４１は、親機２の第３通信部２１から送信された第３音声信号を、第１信号線３２を介して受信する機能を有している。また、第１通信部４１は、第１信号線３２を介して受信した第３音声信号を第１通話部４３へ出力する機能を有している。第１通話部４３の上記第１スピーカは、第１通信部４１から出力された第３音声信号を第３音声に変換して出力する機能を有している。したがって、本実施形態のインターホンシステムでは、ロビーインターホン４と親機２との間で通話が可能となる。
【００４０】
また、第２制御部２５は、ロビーインターホン４と親機２との間で通話が可能となっている状態で操作部２２の操作釦２２ｂが押操作されると、ロビーインターホン４によりロビーの自動ドア５に設置された上記電気錠を解錠させるための第１制御信号を第３通信部２１へ出力する。第３通信部２１は、第２制御部２５から出力された第１制御信号を、第１信号線３２を介してロビーインターホン４の第１通信部４１へ送信する機能を有している。ここで、ロビーインターホン４の第１通信部４１は、親機２の第３通信部２１から送信された第１制御信号を受信すると、受信した第１制御信号を第１制御部４５へ出力する機能を有している。第１制御部４５は、第１通信部４１から出力された第１制御信号が入力されると、ロビーの自動ドア５が上記電気錠を解錠するための解錠信号を第１通信部４１へ出力する。また、第１通信部４１は、第１制御部４５から出力された解錠信号を、第２信号線３３を介して自動ドア５へ送信する機能を有している。
【００４１】
ここにおいて、自動ドア５は、ロビーインターホン４の第１通信部４１から送信された解錠信号を受信可能な第４通信部５１を有している。この第４通信部５１は、ロビーインターホン４の第１通信部４１から送信された解錠信号を受信すると、受信した解錠信号を自動ドア５の図示しない第３制御部へ出力する機能を有している。第３制御部は、第４通信部５１から出力された解錠信号が入力されると、上記電気錠を解錠する。
【００４２】
また、親機２の第３通信部２１は、第３通話部２３から出力された第３音声信号を、第３信号線３１を介してドアホン１の第２通信部１１へ送信する機能を有している。ここにおいて、ドアホン１の第２通信部１１は、第３通信部２１から送信された第３音声信号を、第３信号線３１を介して受信する機能を有している。また、第２通信部１１は、第３信号線３１を介して受信した第３音声信号を第２通話部１３へ出力する機能を有している。第２通話部１３の第２スピーカ１３ｂは、第２通信部１１から出力された第３音声信号を第３音声に変換して出力する機能を有している。したがって、本実施形態のインターホンシステムでは、ドアホン１と親機２との間で通話が可能となる。
【００４３】
ところで、親機２の第２制御部２５は、ロビーインターホン４と親機２との間で通話が可能となっている状態で操作部２２の操作釦２２ｂが押操作されると、第１制御信号を第３通信部２１へ出力した後に、上述の給電信号を上記給電部へ出力する。また、第２制御部２５は、上述の給電信号を上記給電部へ出力した後に、ドアホン１の照明部１５を点灯させるための点灯信号を第３通信部２１へ出力する。
【００４４】
また、第３通信部２１は、第２制御部２５から出力された点灯信号を、動作電圧に重畳させてドアホン１の第２通信部１１へ送信する機能を有している。ここにおいて、ドアホン１の第２通信部１１は、点灯信号を受信すると、受信した点灯信号を照明部１５へ出力する機能を有している。照明部１５の上記点灯装置は、第２通信部１１から出力された点灯信号が入力されると、上記ＬＥＤを点灯させる。
【００４５】
また、第２制御部２５は、第３通信部２１から出力された第２呼出信号が入力されると、第３スピーカ２３ｂから呼出音を鳴動させるとともに、ドアホン１の第２通信部１１に上述の多重化信号を送信させるための第２制御信号を第３通信部２１へ出力する。ここにおいて、第３通信部２１は、第２制御部２５から出力された第２制御信号を、動作電圧に重畳させてドアホン１の第２通信部１１へ送信する機能を有している。また、ドアホン１の第２通信部１１は、親機２の第３通信部２１から送信された第２制御信号を受信すると、上述の多重化信号を動作電圧に重畳させて第３通信部２１へ送信する機能を有している。
【００４６】
以下、本実施形態のインターホンシステムの動作を、図３に基づいて説明する。
【００４７】
本実施形態では、来訪者がロビーインターホン４の上記数字キーにより所望の住戸番号を入力した後に上記第１呼出釦を押操作すると、第１呼出部４２が情報信号を第１制御部４５へ出力する。第１制御部４５は、情報信号が入力されると、第１呼出信号を第１通信部４１へ出力する。第１通信部４１は、第１制御部４５から出力された第１呼出信号を、第１信号線３２を介して親機２の第３通信部２１へ送信する（Ｓ１）。
【００４８】
親機２の第３通信部２１は、ロビーインターホン４の第１通信部４１から送信された第１呼出信号を受信する（Ｓ２）と、この第１呼出信号を第２制御部２５へ出力する。第２制御部２５は、第１呼出信号が入力されると、第３通話部２３の第３スピーカ２３ｂから呼出音を鳴動させる。
【００４９】
ここで、親機２は、居住者により応答釦２２ａが押操作されると、ロビーインターホン４との間で通話が可能となる（Ｓ３）。また、親機２は、ロビーインターホン４との間で通話が可能となっている状態で、居住者により応答釦２２ａが押操作されると（Ｓ４）、ロビーインターホン４との間での通話を終了する（Ｓ５）。一方、親機２は、ロビーインターホン４との間で通話が可能となっている状態で、居住者により操作釦２２ｂが押操作されると（Ｓ４）、第２制御部２５が、第１制御信号を第３通信部２１へ出力する。第３通信部２１は、第２制御部２５から出力された第１制御信号を、第１信号線３２を介してロビーインターホン４の第１通信部４１へ送信する（Ｓ６）。
【００５０】
ロビーインターホン４の第１通信部４１は、親機２の第３通信部２１から送信された第１制御信号を受信すると、受信した第１制御信号を第１制御部４５へ出力する。第１制御部４５は、第１制御信号が入力されると、解錠信号を第１通信部４１へ出力する。第１通信部４１は、第１制御部４５から出力された解錠信号を、第２信号線３３を介して自動ドア５の第４通信部５１へ送信する。自動ドア５の第４通信部５１は、解錠信号を受信すると、受信した解錠信号を上記第３制御部へ出力する。上記第３制御部は、第４通信部５１から出力された解錠信号が入力されると、上記電気錠を解錠する（Ｓ７）。
【００５１】
また、親機２の第２制御部２５は、第１制御信号を第３通信部２１へ出力した後に、給電信号を上記給電部へ出力するとともに、点灯信号を第３通信部２１へ出力する。上記給電部は、給電信号が入力されると、第３信号線３１を介してドアホン１の上記第２電源部へ動作電圧を給電する。第３通信部２１は、第２制御部２５から出力された点灯信号を、動作電圧に重畳させてドアホン１の第２通信部１１へ送信する（Ｓ８）。
【００５２】
ドアホン１の上記第２電源部は、親機２から第３信号線３１を介して給電された動作電圧を動作電源として第２通話部１３、撮像部１４および照明部１５の各々に供給する。第２通信部１１は、点灯信号を受信すると、受信した点灯信号を照明部１５へ出力する。照明部１５の上記点灯装置は、第２通信部１１から出力された点灯信号が入力されると、上記ＬＥＤを点灯させる（Ｓ９）。
【００５３】
そして、本実施形態では、来訪者がドアホン１の第２呼出釦１２ａを押操作すると、第２呼出部１２が第２呼出信号を第２通信部１１へ出力する。第２通信部１１は、第２呼出部１２から出力された第２呼出信号を、第３信号線３１を介して親機２の第３通信部２１へ送信する（Ｓ１０）。
【００５４】
親機２の第３通信部２１は、ドアホン１の第２通信部１１から送信された第２呼出信号を受信すると、第２呼出信号を第２制御部２５へ出力する。第２制御部２５は、第２呼出信号が入力されると、第３通話部２３の第３スピーカ２３ｂから呼出音を鳴動させるとともに、第２制御信号を第３通信部２１へ出力する。第３通信部２１は、第２制御部２５から出力された第２制御信号を、動作電圧に重畳させてドアホン１の第２通信部１１へ送信する。
【００５５】
また、ドアホン１の第２通信部１１は、親機２の第３通信部２１から送信された第２制御信号を受信すると、上述の多重化信号を動作電圧に重畳させて親機２の第３通信部２１へ送信する。
【００５６】
親機２の第３通信部２１は、受信した多重化信号を映像信号と第２音声信号とに分離して、映像信号を第２表示部２４へ出力し、第２音声信号を第３通話部２３へ出力する。第２制御部２５は、表示部２４の表示パネル２４ａにドアホン１の撮像部１４で撮像して得られたカラー映像を表示させるとともに、第３通話部２３の第３スピーカ２３ｂから第２音声を出力させる。
【００５７】
ここで、親機２は、居住者により応答釦２２ａが押操作されると、ドアホン１との間で通話が可能となる（Ｓ１１）。また、本実施形態では、居住者が、再度、親機２の応答釦２２ａを押操作してドアホン１との間での通話を終了する（Ｓ１２）と、親機２の第２制御部２５が、給電信号を上記給電部へ出力するのを停止する。言い換えれば、親機２の上記給電部が、第３信号線３１を介してドアホン１の上記第２電源部へ動作電圧を給電するのを終了する。
【００５８】
しかして、本実施形態のインターホンシステムでは、親機２は、操作部２２の操作釦２２ｂが操作されると、ロビーの自動ドア５に設置された上記電気錠を解錠させた後にドアホン１の照明部１５を点灯させるので、来訪者がドアホン１の第２呼出釦１２ａを押操作する前に照明部１５を点灯させることが可能となり、来訪者がドアホン１に近づくに従って照明部１５から照射された光に目が慣れるので、ドアホンの呼出釦にて押操作されたときに照明部を点灯させる場合に比べて、来訪者がドアホン１の照明部１５からの光を眩しく感じることを抑制可能となる。また、本実施形態では、親機２は、操作部２２の操作釦２２ｂが操作されると、ロビーの自動ドア５に設置された上記電気錠を解錠させた後にドアホン１の照明部１５を点灯させるので、来訪者がドアホン１の第２呼出釦１２ａを押操作する前に照明部１５を点灯させることが可能となり、来訪者にとって所望の住戸をすぐに見つけることが可能となる。
【符号の説明】
【００５９】
１  ドアホン
２  インターホン親機
４  ロビーインターホン
５  自動ドア
１４  撮像部
１５  照明部
２２  操作部
【図１】
2013026850.tif 000003
【図２】
2013026850.tif 000004
【図３】
2013026850.tif 000005